(57)【要約】【課題】異なる時機に検索されたコンテンツについての既読の管理にかかる負荷の軽減を図る。【解決手段】所定の時機に所定の検索条件で通信ネットワークを介してコンテンツの検索を行う検索実行部４と、前記検索の結果に基づいて、通信ネットワークを介してコンテンツを取得するコンテンツ取得部５と、前記取得されたコンテンツを使用して、画面表示されるマガジンデータを作成するマガジン作成部７と、前記マガジンデータの発行号ごとに前記マガジンデータに関するコンテンツの既読を管理する既読管理部９と、を備える。【選択図】図１
2016024550.tif 000002
【特許請求の範囲】
【請求項１】
所定の時機に所定の検索条件で通信ネットワークを介してコンテンツの検索を行う検索実行部と、
前記検索の結果に基づいて、通信ネットワークを介してコンテンツを取得するコンテンツ取得部と、
前記取得されたコンテンツを使用して、画面表示されるマガジンデータを作成するマガジン作成部と、
前記マガジンデータの発行号ごとに前記マガジンデータに関するコンテンツの既読を管理する既読管理部と、
を備えた電子マガジン作成装置。
【請求項２】
前記既読管理部は、ある前記発行号のコンテンツについての既読情報を他の前記発行号の当該同一コンテンツについての既読情報に使用する請求項１に記載の電子マガジン作成装置。
【請求項３】
前記マガジン作成部は、前記コンテンツの既読の管理に基づいて、前記マガジンデータに含まれるコンテンツの既読または未読を示す情報を画面表示させる請求項１又は２のいずれか１項に記載の電子マガジン作成装置。
【請求項４】
前記マガジン作成部は、前記コンテンツの既読の管理に基づいて、未読のコンテンツのみを画面表示させる前記マガジンデータを作成する請求項１又は２のいずれか１項に記載の電子マガジン作成装置。
【請求項５】
前記コンテンツ取得部は、前記コンテンツの既読の管理に基づいて、前記検索の結果のコンテンツのうち未読のコンテンツのみを取得する請求項１から４のいずれか１項に記載の電子マガジン作成装置。
【請求項６】
請求項１から５のいずれか１項に記載の電子マガジン作成装置と、コンテンツ提供元の装置とが通信ネットワークを介して接続される電子マガジン作成システムであり、
前記コンテンツ提供元の装置は、前記電子マガジン作成装置による前記検索の結果に基づいて、前記通信ネットワークを介して前記コンテンツを提供する、
電子マガジン作成システム。
【請求項７】
電子マガジン作成装置が、所定の時機に所定の検索条件で通信ネットワークを介してコンテンツの検索を行い、
前記電子マガジン作成装置が、前記検索の結果に基づいて、通信ネットワークを介してコンテンツを取得し、
前記電子マガジン作成装置が、前記取得されたコンテンツを使用して、画面表示されるマガジンデータを作成し、
前記電子マガジン作成装置が、前記マガジンデータの発行号ごとに前記マガジンデータに関するコンテンツの既読を管理する、
電子マガジン作成方法。
【請求項８】
コンピュータに、
所定の時機に所定の検索条件で通信ネットワークを介してコンテンツの検索を行う検索実行機能と、
前記検索の結果に基づいて、通信ネットワークを介してコンテンツを取得するコンテンツ取得機能と、
前記取得されたコンテンツを使用して、画面表示されるマガジンデータを作成するマガジン作成機能と、
前記マガジンデータの発行号ごとに前記マガジンデータに関するコンテンツの既読を管理する既読管理機能と、
を実現させるためのコンピュータプログラム。
【発明の詳細な説明】
【技術分野】
【０００１】
本発明は、電子マガジン作成装置、電子マガジン作成システム、電子マガジン作成方法およびコンピュータプログラムに関する。
【背景技術】
【０００２】
従来、ニュース等の複数の掲載用コンテンツを新聞や雑誌の形式で掲載したディジタルコンテンツを利用者の端末へ配信する技術として、例えば特許文献１が知られている。特許文献１の従来技術では、コンテンツ配信端末が、利用者から指定された配信日時になると、当該利用者から指定されたキーワードに基づいてコンテンツ登録データベースを検索し、この検索の結果として得られた掲載用コンテンツを使用してディジタルコンテンツを作成する。そして、コンテンツ配信端末が、該作成したディジタルコンテンツを当該利用者の端末へ配信する。
【先行技術文献】
【特許文献】
【０００３】
【特許文献１】特開２００２−１４０３６４号公報
【発明の概要】
【発明が解決しようとする課題】
【０００４】
しかし、上述した従来の技術では、以下に示すような課題がある。
【０００５】
例えば日刊で、コンテンツ配信端末から利用者端末へディジタルコンテンツを配信する場合を考える。ある日（説明の便宜上、５月１日とする）、利用者から指定されたキーワードＸに基づいて検索された掲載用コンテンツを使用して作成されたディジタルコンテンツ（ディジタルコンテンツ５月１日号）が、コンテンツ配信端末から利用者端末へ配信される。次いで、次の日（５月２日）に、同様に、キーワードＸに基づいて検索された掲載用コンテンツを使用して作成されたディジタルコンテンツ５月２日号が、コンテンツ配信端末から利用者端末へ配信される。ここで、ディジタルコンテンツ５月１日号とディジタルコンテンツ５月２日号とは、同じキーワードＸに基づいて検索された掲載用コンテンツを使用するので、同じ掲載用コンテンツ（説明の便宜上、ニュースＡとする）が含まれる可能性がある。
【０００６】
ここで、ディジタルコンテンツ５月１日号とディジタルコンテンツ５月２日号とに同じニュースＡが含まれている場合において、利用者がディジタルコンテンツ５月１日号のニュースＡを読まなかったときは、ディジタルコンテンツ５月２日号にもニュースＡが含まれていることにより、当該利用者に対してニュースＡを読む機会を再び与えることができる。一方、利用者がディジタルコンテンツ５月１日号のニュースＡを読んだときには、ディジタルコンテンツ５月２日号に含まれるニュースＡは当該利用者にとって余計なものとなってしまう可能性が高い。
【０００７】
このため、利用者端末へ配信済みのディジタルコンテンツに含まれる掲載用コンテンツについて、利用者によって読まれたのか（既読なのか）又はまだ読まれていないのか（未読なのか）を把握して、ディジタルコンテンツの作成に使用する掲載用コンテンツを選択することが好ましい。しかしながら、コンテンツ配信端末が、利用者端末毎に、配信済みのディジタルコンテンツに含まれる掲載用コンテンツ一つ一つの既読／未読を把握することは、コンテンツ配信端末にかかる負荷が大きいという課題がある。
【０００８】
本発明は、このような事情を考慮してなされたものであり、異なる時機に検索されたコンテンツについての既読の管理にかかる負荷の軽減を図ることができる、電子マガジン作成装置、電子マガジン作成システム、電子マガジン作成方法およびコンピュータプログラムを提供することを課題とする。
【課題を解決するための手段】
【０００９】
（１）本発明の一態様は、所定の時機に所定の検索条件で通信ネットワークを介してコンテンツの検索を行う検索実行部と、前記検索の結果に基づいて、通信ネットワークを介してコンテンツを取得するコンテンツ取得部と、前記取得されたコンテンツを使用して、画面表示されるマガジンデータを作成するマガジン作成部と、前記マガジンデータの発行号ごとに前記マガジンデータに関するコンテンツの既読を管理する既読管理部と、を備えた電子マガジン作成装置である。
（２）本発明の一態様は、上記（１）の電子マガジン作成装置において、前記既読管理部は、ある前記発行号のコンテンツについての既読情報を他の前記発行号の当該同一コンテンツについての既読情報に使用する電子マガジン作成装置である。
（３）本発明の一態様は、上記（１）又は（２）のいずれかの電子マガジン作成装置において、前記マガジン作成部は、前記コンテンツの既読の管理に基づいて、前記マガジンデータに含まれるコンテンツの既読または未読を示す情報を画面表示させる電子マガジン作成装置である。
（４）本発明の一態様は、上記（１）又は（２）のいずれかの電子マガジン作成装置において、前記マガジン作成部は、前記コンテンツの既読の管理に基づいて、未読のコンテンツのみを画面表示させる前記マガジンデータを作成する電子マガジン作成装置である。
（５）本発明の一態様は、上記（１）から（４）のいずれかの電子マガジン作成装置において、前記コンテンツ取得部は、前記コンテンツの既読の管理に基づいて、前記検索の結果のコンテンツのうち未読のコンテンツのみを取得する電子マガジン作成装置である。
【００１０】
（６）本発明の一態様は、上記（１）から（５）のいずれかの電子マガジン作成装置と、コンテンツ提供元の装置とが通信ネットワークを介して接続される電子マガジン作成システムであり、前記コンテンツ提供元の装置は、前記電子マガジン作成装置による前記検索の結果に基づいて、前記通信ネットワークを介して前記コンテンツを提供する、電子マガジン作成システムである。
【００１１】
（７）本発明の一態様は、電子マガジン作成装置が、所定の時機に所定の検索条件で通信ネットワークを介してコンテンツの検索を行い、前記電子マガジン作成装置が、前記検索の結果に基づいて、通信ネットワークを介してコンテンツを取得し、前記電子マガジン作成装置が、前記取得されたコンテンツを使用して、画面表示されるマガジンデータを作成し、前記電子マガジン作成装置が、前記マガジンデータの発行号ごとに前記マガジンデータに関するコンテンツの既読を管理する、電子マガジン作成方法である。
【００１２】
（８）本発明の一態様は、コンピュータに、所定の時機に所定の検索条件で通信ネットワークを介してコンテンツの検索を行う検索実行機能と、前記検索の結果に基づいて、通信ネットワークを介してコンテンツを取得するコンテンツ取得機能と、前記取得されたコンテンツを使用して、画面表示されるマガジンデータを作成するマガジン作成機能と、前記マガジンデータの発行号ごとに前記マガジンデータに関するコンテンツの既読を管理する既読管理機能と、を実現させるためのコンピュータプログラムである。
【発明の効果】
【００１３】
本発明によれば、異なる時機に検索されたコンテンツについての既読の管理にかかる負荷の軽減を図ることができるという効果が得られる。
【図面の簡単な説明】
【００１４】
【図１】本発明の一実施形態に係る電子マガジン作成装置１の構成を示すブロック図である。
【図２】図１に示す電子マガジン作成装置１を実現するハードウェアの構成例を示すブロック図である。
【図３】図１に示す電子マガジン作成装置１を使用した電子マガジン作成システムの構成例を示す図である。
【図４】本発明の一実施形態に係る電子マガジン作成方法の全体の手順を示すフローチャートである。
【図５】本発明の一実施形態に係る電子マガジン作成方法の具体例を示すシーケンスチャートである。
【図６】本発明の一実施形態に係る既読管理データの構成例を示す図である。
【図７】本発明の一実施形態に係るコンテンツの既読管理方法の手順を示すフローチャートである。
【図８】本発明の一実施形態に係るコンテンツの既読管理方法を説明するための既読管理データの構成例を示す図である。
【図９】本発明の一実施形態に係る既読管理データの構成例を示す図である。
【図１０】本発明の一実施形態に係るコンテンツの既読判定方法の手順を示すフローチャートである。
【発明を実施するための形態】
【００１５】
以下、図面を参照し、本発明の実施形態について説明する。
図１は、本発明の一実施形態に係る電子マガジン作成装置１の構成を示すブロック図である。図１において、電子マガジン作成装置１は、入力部２と検索時機条件データ記憶部３と検索実行部４とコンテンツ取得部５とコンテンツデータ記憶部６とマガジン作成部７とマガジンデータ記憶部８と既読管理部９と既読管理データ記憶部１０と出力部１１を備える。
【００１６】
入力部２は、電子マガジン作成装置１で使用されるデータの入力を行う。検索時機条件データ記憶部３は、検索時機や検索条件を示すデータを記憶する。検索実行部４は、所定の時機に所定の検索条件で通信ネットワークを介してコンテンツの検索を行う。その所定の時機や所定の検索条件は、検索時機条件データ記憶部３に記憶されているデータに基づいている。コンテンツ取得部５は、検索実行部４による検索の結果に基づいて、通信ネットワークを介してコンテンツを取得する。コンテンツデータ記憶部６は、コンテンツ取得部５によって取得されたコンテンツのデータを記憶する。マガジン作成部７は、コンテンツ取得部５によって取得されたコンテンツを使用して、画面表示されるマガジンデータを作成する。マガジンデータ記憶部８は、マガジン作成部７によって作成されたマガジンデータを記憶する。既読管理部９は、マガジンデータに関するコンテンツの既読を管理する。既読管理データ記憶部１０は、マガジンデータに関するコンテンツの既読の管理についてのデータを記憶する。出力部１１は、マガジンデータ等のデータの出力を行う。
【００１７】
図２は、図１に示す電子マガジン作成装置１を実現するハードウェアの構成例を示すブロック図である。図２において、電子マガジン作成装置１は、ＣＰＵ部２１と記憶部２２と通信部２３と操作部２４と表示部２５を備える。これら各部はデータを交換できるように構成されている。
【００１８】
ＣＰＵ部２１は電子マガジン作成装置１の制御を行う。この制御機能は、ＣＰＵ部２１がコンピュータプログラムを実行することにより実現される。記憶部２２は、ＣＰＵ部２１で実行されるコンピュータプログラムや各種のデータを記憶する。記憶部２２は、電子マガジン作成プログラム３１を記憶している。図１に示される電子マガジン作成装置１の各部の機能は、図２に示されるＣＰＵ部２１が記憶部２２に記憶される電子マガジン作成プログラム３１を実行することにより実現される。また、図１に示される電子マガジン作成装置１の各記憶部は、図２に示される記憶部２２内に設けられる。
【００１９】
通信部２３は、通信ネットワークを介して他の装置と通信する。操作部２４は、キーボード、テンキー、マウス等の入力デバイスから構成され、利用者の操作に応じたデータ入力を行う。表示部２５は、液晶表示装置等の表示デバイスから構成され、データ表示を行う。また、データ入力とデータ表示の両方が可能なタッチパネルを備えてもよい。
【００２０】
なお、電子マガジン作成装置１として、汎用のコンピュータ装置を使用して構成してもよく、又は、専用のハードウェア装置として構成してもよい。また、電子マガジン作成装置１として、スマートフォン等の携帯通信端末装置、タブレット型のコンピュータ装置、据置き型のパーソナルコンピュータ装置などを利用してもよい。
【００２１】
図３は、本実施形態に係る電子マガジン作成装置１を使用した電子マガジン作成システムの構成例を示す図である。電子マガジン作成装置１は、通信ネットワーク５０を介して、コンテンツ検索配信システム４０、ニュース配信サーバ４１、電子商取引サーバ４２、ＳＮＳ（Social Networking Service）サーバ４３、動画共有サーバ４４などのコンテンツ提供元と通信する。電子マガジン作成装置１は、コンテンツ提供元に対して所定の検索条件でコンテンツの検索を行い、該検索の結果に基づいてコンテンツ提供元からコンテンツを取得する。
【００２２】
図４は、本実施形態に係る電子マガジン作成方法の全体の手順を示すフローチャートである。図４を参照して、本実施形態の電子マガジン作成装置１が行う電子マガジン作成に係る動作の全体の概要を説明する。
【００２３】
（ステップＳ１）まず検索時機および検索条件の設定を行う。検索時機および検索条件として、利用者が指定したもの、デフォルトとして予め設定されているものなどがある。利用者が指定した検索時機や検索条件を示すデータは、入力部２から入力されたデータが検索時機条件データ記憶部３に記憶される。デフォルトの検索時機や検索条件を示すデータは、予め検索時機条件データ記憶部３に記憶される。
【００２４】
（ステップＳ２）検索実行部４が、所定の時機に所定の検索条件で通信ネットワークを介してコンテンツの検索を行う。該所定の時機および所定の検索条件は、検索時機条件データ記憶部３に記憶されているデータに基づいている。
【００２５】
（ステップＳ３）コンテンツ取得部５が、検索実行部４による検索の結果に基づいて、通信ネットワークを介してコンテンツを取得する。この取得されたコンテンツのデータは、コンテンツデータ記憶部６に記憶される。
【００２６】
（ステップＳ４）マガジン作成部７が、コンテンツ取得部５によって取得されたコンテンツを使用して、画面表示されるマガジンデータを作成する。この作成されたマガジンデータは、マガジンデータ記憶部８に記憶される。
【００２７】
（ステップＳ５）既読管理部９が、マガジンデータに関するコンテンツの既読を管理する。この既読の管理についてのデータは、既読管理データ記憶部１０に記憶される。
【００２８】
図５は、本実施形態に係る電子マガジン作成方法の具体例を示すシーケンスチャートである。この図５の例は、図３の電子マガジン作成システムに対応している。図５を参照して、本実施形態の電子マガジン作成装置１が行う電子マガジン作成に係る動作の具体例を説明する。
【００２９】
（ステップＳ１１）まず利用者がキーワードを入力する。このキーワードの入力は、例えば操作部２４（図２参照）を操作することにより行われる。入力部２は、該入力されたキーワードを検索時機条件データ記憶部３に記憶させる。図５の例では、３個のキーワードＸ，Ｙ，Ｚが入力されて検索時機条件データ記憶部３に記憶される。
【００３０】
（ステップＳ１２）検索実行部４は、所定の時機に、キーワードＸ，Ｙ，Ｚを使用して、コンテンツの検索を行う。該所定の時機として、例えば、毎日午前５時にコンテンツの検索を行う。このコンテンツの検索は、キーワードＸ，Ｙ，Ｚ毎に行われる。具体的には、検索実行部４は、通信ネットワーク５０を介して、コンテンツ検索配信システム４０、ニュース配信サーバ４１、電子商取引サーバ４２、ＳＮＳサーバ４３、動画共有サーバ４４のそれぞれに対し、キーワードＸ，Ｙ，Ｚを送信し、キーワードＸ，Ｙ，Ｚ毎に検索を要求する。検索実行部４は、その検索の要求の応答として、コンテンツ検索配信システム４０、ニュース配信サーバ４１、電子商取引サーバ４２、ＳＮＳサーバ４３、動画共有サーバ４４のそれぞれから、キーワードＸ，Ｙ，Ｚ毎に、検索結果を受信する。
【００３１】
インターネット５２に接続されているニュース配信サーバ４１、電子商取引サーバ４２、ＳＮＳサーバ４３及び動画共有サーバ４４は、各キーワードＸ，Ｙ，Ｚに該当する自己のコンテンツを示す情報を、各キーワードＸ，Ｙ，Ｚの検索結果として応答する。コンテンツ検索配信システム４０では、検索サーバ６１が、コンテンツ検索配信システム４０に備わるコンテンツデータベース６２に格納されているコンテンツに対してキーワードＸ，Ｙ，Ｚ毎に検索を行い、該検索の結果であるコンテンツを示す情報を各キーワードＸ，Ｙ，Ｚの検索結果として応答する。
【００３２】
（ステップＳ１３）コンテンツ取得部５は、ステップＳ１２で受信された検索結果で示されるコンテンツの中から、例えば所定の個数だけ、コンテンツをダウンロード（受信）する。コンテンツ取得部５は、そのダウンロードにより取得したコンテンツのデータをコンテンツデータ記憶部６に記憶させる。該コンテンツのデータは、当該コンテンツの見出しのデータと、当該コンテンツの詳細のデータとを含む。なお、動画共有サーバ４４からは、動画の見出しのデータと、該動画のデータの所在を示すＵＲＬ（Uniform Resource Locator）をダウンロードし、動画の詳細データについてはダウンロードしない。
【００３３】
（ステップＳ１４）マガジン作成部７は、ステップＳ１３で取得されたコンテンツを使用して、画面表示されるマガジンデータを作成する。このマガジンデータは、キーワードＸ，Ｙ，Ｚ毎に作成される。マガジン作成部７は、キーワードＸによる検索の結果に基づいて取得されたコンテンツを使用して、キーワードＸについてのマガジンデータを作成する。また、マガジン作成部７は、キーワードＹによる検索の結果に基づいて取得されたコンテンツを使用して、キーワードＹについてのマガジンデータを作成する。また、マガジン作成部７は、キーワードＺによる検索の結果に基づいて取得されたコンテンツを使用して、キーワードＺについてのマガジンデータを作成する。
【００３４】
マガジン作成部７は、その作成したマガジンデータをマガジンデータ記憶部８に記憶させる。出力部１１は、その作成されたマガジンデータを出力する。この出力されたマガジンデータは、例えば表示部２５（図２参照）の表示画面上に表示される。このマガジンデータの表示では、例えば最初に当該マガジンの表紙が表示される。なお、マガジンデータの表示は、電子マガジン作成装置１の表示部２５で表示してもよく、又は、電子マガジン作成装置１の外部の表示装置へマガジンデータを出力することにより該外部の表示装置で表示してもよい。
【００３５】
（ステップＳ１５）利用者が画面表示されたマガジンデータについての閲覧の操作を行うことにより、マガジンデータに含まれるコンテンツの見出しや詳細が画面表示される。該マガジンデータについての閲覧の操作は、例えば、マガジンデータが表示されているタッチパネル上で行われる。該利用者の操作によって画面表示されたコンテンツの見出しや詳細についての情報は、入力部２によって入力される。既読管理部９は、該入力された情報に基づいて、コンテンツの既読の管理を行う。
【００３６】
（ステップＳ１６、Ｓ１７、Ｓ１８）利用者は、動画共有サーバ４４から取得されたコンテンツで示される動画を再生する際には、画面表示されている動画の再生ボタンを操作する（ステップＳ１６）。この操作の情報は、入力部２によって入力される。コンテンツ取得部５は、その入力された操作の情報に応じて、該当する動画のＵＲＬへアクセスし、動画のストリーミング再生を要求する（ステップＳ１７）。これにより、動画のストリーミング再生が行われる（ステップＳ１８）。
【００３７】
［コンテンツの既読管理］
次に、本実施形態に係るコンテンツの既読管理方法を説明する。ここでは、説明の便宜上、日刊で電子マガジンを発行するとする。図６は、本実施形態に係る既読管理データの構成例を示す図である。既読管理データは、マガジンデータに使用されたコンテンツについての既読を管理するためのデータであり、既読管理データ記憶部１０に記憶される。マガジンデータに関するコンテンツの既読は、マガジンデータの発行号ごとに管理される。図６の例では、既読管理データは、７日分の発行号（説明の便宜上、５月１日号から５月７日号までとする）のデータを有する。既読管理データは、発行号毎に、マガジンデータに使用されたコンテンツが既読であるか否かが示されている。図６中のコンテンツに対応する欄に「既読」が示されている場合は該コンテンツが既読であることを示し、該欄が空白である場合は該コンテンツが既読ではない（つまり、未読である）ことを示す。
【００３８】
図７は、本実施形態に係るコンテンツの既読管理方法の手順を示すフローチャートである。図７を参照して、本実施形態の既読管理部９が行うコンテンツの既読管理に係る動作を説明する。
【００３９】
（ステップＳ４０１）コンテンツが読まれたことを示す情報が入力部２により入力される。例えば、利用者の操作によって画面表示されたコンテンツの見出しや詳細についての情報が、入力部２によって入力される。
【００４０】
（ステップＳ４０２）既読管理部９は、その入力部２により入力された情報に基づいて、その読まれたコンテンツを、その読まれた発行号で既読にする。具体的には、既読管理部９は、既読管理データ記憶部１０に記憶されている既読管理データにおいて、該読まれた発行号の該当コンテンツを既読とする。
【００４１】
（ステップＳ４０３）既読管理部９は、その読まれたコンテンツと同一コンテンツが他の発行号にあるかを調べる。
【００４２】
（ステップＳ４０４）ステップＳ４０３の調査の結果、同一コンテンツが他の発行号にある場合にはステップＳ４０５へ進む。一方、同一コンテンツが他の発行号にない場合には図７の処理を終了する。
【００４３】
（ステップＳ４０５）既読管理部９は、その他の発行号で該当コンテンツを既読にする。具体的には、既読管理部９は、既読管理データ記憶部１０に記憶されている既読管理データにおいて、読まれたコンテンツと同一コンテンツが発見された他の発行号の該当コンテンツを既読とする。
【００４４】
図８は、本実施形態に係るコンテンツの既読管理方法を説明するための既読管理データの構成例を示す図である。図８において、コンテンツ＿Ｄ２は、マガジンデータ＿５月１日号とマガジンデータ＿５月３日号とマガジンデータ＿５月７日号とに使用されている。ここで、図８の例は、利用者が５月３日号の電子マガジンを閲覧してコンテンツ＿Ｄ２を読んだ場合である。このとき、既読管理部９は、入力部２から入力された情報によって、マガジンデータ＿５月３日号のコンテンツ＿Ｄ２が読まれたことを認識する。そして、既読管理部９は、既読管理データ記憶部１０に記憶されている既読管理データにおいて、該読まれた発行号である５月３日号でコンテンツ＿Ｄ２を既読にする。さらに、既読管理部９は、該コンテンツ＿Ｄ２を使用している５月１日号と５月７日号の両方で、コンテンツ＿Ｄ２を既読にする。このように、本実施形態では、ある発行号で読まれたコンテンツについての既読情報を、該読まれたコンテンツを使用している他の発行号における同一コンテンツの既読管理に利用する。これにより、異なる時機に検索されたコンテンツについての既読の管理にかかる負荷の軽減を図ることができる。
【００４５】
［コンテンツの既読／未読の表示］
マガジン作成部７は、既読管理部９によるコンテンツの既読の管理に基づいて、マガジンデータに含まれるコンテンツの既読または未読を示す情報を画面表示させるようにしてもよい。例えば、あるコンテンツの見出しや詳細が画面表示される際に、当該コンテンツが未読である（つまり、既読ではない）ことを示す情報が画面表示されるようにする。コンテンツの未読を示す情報として、テキスト、記号、画像などが挙げられる。又は、例えば見出しに含まれるテキストの文字の色や大きさを未読と既読で変えるなど、同じ情報の表示方法を変えるようにしてもよい。
【００４６】
又は、マガジン作成部７は、既読管理部９によるコンテンツの既読の管理に基づいて、未読のコンテンツのみを画面表示させるマガジンデータを作成するようにしてもよい。具体的には、マガジン作成部７は、既読管理データ記憶部１０に記憶されている既読管理データにおいて既読のコンテンツを、マガジンデータの作成に使用しない。また、マガジン作成部７は、既にマガジンデータに含まれているコンテンツが既読になった時点で、当該既読になったコンテンツが画面表示されないようにマガジンデータを変更する。これにより、利用者が新規発行の電子マガジン又は過去に発行済みの電子マガジン（所謂、バックナンバー）で読んだコンテンツは画面表示されないので、利用者は未読のコンテンツを効率よく読むことができる。
【００４７】
［コンテンツの取得］
コンテンツ取得部５は、既読管理部９によるコンテンツの既読の管理に基づいて、検索実行部４による検索の結果のコンテンツのうち未読のコンテンツのみを、通信ネットワークを介してコンテンツを取得する。具体的には、コンテンツ取得部５は、検索実行部４による検索の結果のコンテンツにおいて、既読管理データ記憶部１０に記憶されている既読管理データにおいて既読のコンテンツを取得対象から除外し、それ以外のコンテンツを取得対象とする。これにより、コンテンツの取得にかかる通信の負荷等を軽減できる。
【００４８】
以下、本実施形態に係るコンテンツの既読管理方法の例を説明する。
【００４９】
［コンテンツの既読管理：コンテンツＩＤについて］
既読管理部９は、コンテンツ取得部５によって取得されたコンテンツの種類に応じたコンテンツ識別子（コンテンツＩＤ）を使用して、マガジンデータに関するコンテンツの既読を管理する。具体的には、コンテンツ提供元に固有のコンテンツＩＤが有るコンテンツについては、該コンテンツ提供元に固有のコンテンツＩＤを使用する。一方、コンテンツ提供元に固有のコンテンツＩＤが無いコンテンツについては、該コンテンツに固有の情報をコンテンツＩＤに使用する。
【００５０】
例えば、図３に例示されるニュース配信サーバ４１、電子商取引サーバ４２、動画共有サーバ４４、コンテンツ検索配信システム４０のそれぞれでは、各コンテンツに固有のコンテンツＩＤが付与されているとする。この場合、ニュース配信サーバ４１から取得されたコンテンツに対しては、該ニュース配信サーバ４１で該コンテンツに付与されている該ニュース配信サーバ４１に固有のコンテンツＩＤを使用する。また、電子商取引サーバ４２から取得されたコンテンツに対しては、該電子商取引サーバ４２で該コンテンツに付与されている該電子商取引サーバ４２に固有のコンテンツＩＤを使用する。また、動画共有サーバ４４から取得されたコンテンツに対しては、該動画共有サーバ４４で該コンテンツに付与されている該動画共有サーバ４４に固有のコンテンツＩＤを使用する。また、コンテンツ検索配信システム４０から取得されたコンテンツに対しては、該コンテンツ検索配信システム４０で該コンテンツに付与されている該コンテンツ検索配信システム４０に固有のコンテンツＩＤを使用する。それらコンテンツ提供元に固有のコンテンツＩＤは、例えば、コンテンツ提供元へ送信する検索要求のＡＰＩ（Application Programming Interface）に対する応答メッセージ中のコンテンツＩＤフィールドに含まれるものである。
【００５１】
一方、図３に例示されるＳＮＳサーバ４３のそれぞれでは、各コンテンツに固有のコンテンツＩＤが付与されていないとする。この場合、ＳＮＳサーバ４３から取得されたコンテンツに対しては、該コンテンツに固有の情報をコンテンツＩＤに使用する。例えば、ＳＮＳサーバ４３から取得されたコンテンツの所在を示すＵＲＬ（コンテンツの位置情報）を当該コンテンツのコンテンツＩＤに使用する。
【００５２】
既読管理部９は、コンテンツＩＤによってコンテンツの識別を行い、個々のコンテンツについての既読を管理する。図９は、本実施形態に係る既読管理データの構成例を示す図である。既読管理データは、マガジンデータに使用されたコンテンツについての既読を管理するためのデータであり、既読管理データ記憶部１０に記憶される。図９の例では、コンテンツ取得部５がコンテンツを取得したコンテンツ提供元ごとに、各コンテンツＩＤに対して、該当するコンテンツが既読であるか否かが示されている。図９中のコンテンツＩＤに対応する欄に「既読」が示されている場合は該コンテンツＩＤのコンテンツが既読であることを示し、該欄が空白である場合は該コンテンツＩＤのコンテンツが既読ではない（つまり、未読である）ことを示す。
【００５３】
図９において、ニュース配信サーバＡから取得されたコンテンツについては、ニュース配信サーバ４１に固有のコンテンツＩＤが付与されており、該コンテンツＩＤに対して、該当するコンテンツが既読であるか否かが示されている。例えば、ニュース配信サーバＡから取得されたコンテンツのうち、コンテンツＩＤ＿１のコンテンツは「既読」であり、コンテンツＩＤ＿２のコンテンツは「未読」であることが示されている。同様に、電子商取引サーバＢ、動画共有サーバＣ、動画共有サーバＤ、コンテンツ検索配信システムＥのそれぞれから取得されたコンテンツについては、各コンテンツ提供元に固有のコンテンツＩＤが付与されており、コンテンツ提供元毎に、該コンテンツＩＤに対して、該当するコンテンツが既読であるか否かが示されている。
【００５４】
また、図９において、ＳＮＳサーバＦから取得されたコンテンツについては、当該コンテンツの位置情報であるＵＲＬが当該コンテンツのコンテンツＩＤに使用されており、該コンテンツＩＤに対して、該当するコンテンツが既読であるか否かが示されている。例えば、ＳＮＳサーバＦから取得されたコンテンツのうち、ＵＲＬ＿Ｆ１のコンテンツは「既読」であり、ＵＲＬ＿Ｆ２のコンテンツは「未読」であることが示されている。同様に、ＳＮＳサーバＧから取得されたコンテンツについては、当該コンテンツの位置情報であるＵＲＬが当該コンテンツのコンテンツＩＤに使用されており、該コンテンツＩＤに対して、該当するコンテンツが既読であるか否かが示されている。
【００５５】
［コンテンツの既読管理：コンテンツの既読の付与契機について］
既読管理部９は、マガジンデータの見出しが表示された場合に該表示された見出しのコンテンツを既読にする。マガジンデータには、コンテンツの見出しのデータと該コンテンツの詳細のデータが含まれるが、その見出しのデータが画面表示された場合に、既読管理部９は、既読管理データにおいて、該画面表示された見出しのコンテンツのコンテンツＩＤに対応する欄に「既読」を示す。画面表示された見出しについての情報は、入力部２によって入力される。既読管理部９は、該入力された見出しについての情報に基づいて、既読管理データの更新を行う。
【００５６】
なお、マガジンデータの見出しは、ジャンル又は日時別に表示される。該ジャンルとして、コンテンツ提供元の種類が挙げられる。図３の例では、コンテンツ提供元の種類として、ニュース（ニュース配信サーバ）、ショッピング（電子商取引サーバ）、ＳＮＳ（ＳＮＳサーバ）、エンターテインメント（動画共有サーバ）の４種類がある。例えば、ニュース配信サーバ４１から取得されたコンテンツのジャンルはニュースであり、マガジンデータに含まれるニュースについてのコンテンツの見出しのデータは、ニュースについての見出しとして分類されて表示される。コンテンツ検索配信システム４０については、コンテンツ検索配信システム４０に備わる各コンテンツデータベース６２がジャンル別である場合に、該コンテンツデータベース６２のジャンルを使用する。日時別に見出しを表示する場合には、同じ日付の同じ時間帯に作成されたコンテンツの見出しのデータが同じ日時として分類されて表示される。また、ジャンル別かつ日時別に、コンテンツの見出しのデータが分類されて表示されてもよい。
【００５７】
［コンテンツの既読管理：コンテンツの既読判定について］
既読管理部９は、既読管理データ記憶部１０に記憶される既読管理データに基づいて、マガジンデータの新規発行時にコンテンツ取得部５によって取得されたコンテンツ（新規取得コンテンツ）についての既読を判定する。この判定の結果が既読である新規取得コンテンツについては破棄する。これにより、マガジン作成部７は、新規取得コンテンツの中から、既読の判定の結果として未読のコンテンツのみを新規発行のマガジンデータの作成に使用する。
【００５８】
図１０は、本実施形態に係るコンテンツの既読判定方法の手順を示すフローチャートである。図１０を参照して、本実施形態の既読管理部９が行うコンテンツの既読判定に係る動作を説明する。
【００５９】
（ステップＳ１０１）既読管理部９は、新規取得コンテンツのコンテンツＩＤと同じコンテンツＩＤが既読管理データ中に有るかを調べる。この調査では、既読管理データにおいて、新規取得コンテンツのコンテンツ提供元についてのコンテンツＩＤだけを対象にして、当該新規取得コンテンツのコンテンツＩＤと一致するかを調べる。例えば、図９の既読管理データにおいて、新規取得コンテンツのコンテンツ提供元がニュース配信サーバＡである場合には、既読管理データ中のニュース配信サーバＡについてのコンテンツＩＤのみを対象にして、当該新規取得コンテンツのコンテンツＩＤと一致するかを調べる。
【００６０】
（ステップＳ１０２）ステップＳ１０１の調査の結果、新規取得コンテンツのコンテンツＩＤと一致するコンテンツＩＤが既読管理データ中に有る場合にはステップＳ１０３へ進む。一方、該一致するコンテンツＩＤが既読管理データ中に無い場合には図１０の処理を終了する。
【００６１】
（ステップＳ１０３）既読管理部９は、既読管理データにおいて、ステップＳ１０１で発見されたコンテンツＩＤ毎に、既読であるかを調べる。
【００６２】
（ステップＳ１０４）ステップＳ１０３の調査の結果、既読であるコンテンツＩＤについてはステップＳ１０５の処理を行う。一方、既読ではないコンテンツＩＤについては何も処理を行わない。
【００６３】
（ステップＳ１０５）既読管理部９は、ステップＳ１０３の調査の結果、既読のコンテンツＩＤである新規取得コンテンツを破棄する。この後、図１０の処理を終了する。
【００６４】
なお、上述した図１０のコンテンツの既読判定は、所定の期間だけ行うようにしてもよい。例えば、既読管理部９は、マガジンデータの作成時点から所定期間経過後に、当該マガジンデータに使用されたコンテンツの既読判定を停止する。マガジンデータの作成日時と、該マガジンデータに使用されたコンテンツのコンテンツＩＤとは、別途、記録しておく。既読判定を停止するコンテンツのコンテンツＩＤについては、既読管理データから削除することにより、既読判定が停止される。所定期間として例えば１週間で該当するコンテンツの既読判定を停止することが挙げられる。既読判定が停止されたコンテンツＩＤのコンテンツについては、新規取得コンテンツとして新たなマガジンデータの作成に使用される可能性がある。しかしながら、例えば最新ニュースとしてマガジンデータに掲載されてから、例えば１週間後に再び最新ニュースとして検索される可能性は低いと考えられる。このため、コンテンツがマガジンデータに使用されてから１週間などの所定期間だけで当該コンテンツの既読判定を停止しても、そのデメリットが許容できるならば、その既読判定を停止した分だけの負荷軽減の効果が得られる。
【００６５】
上述したコンテンツの既読管理方法によれば、電子マガジン作成装置１が異なる時機に検索されたコンテンツについての既読の管理を行う。これにより、コンテンツ提供元は、コンテンツ提供先ごとに、配信したコンテンツの既読の管理を行う必要はない。
【００６６】
また、上述したコンテンツの既読管理方法によれば、電子マガジン作成装置１が保持する既読管理データ中で既読か否かが付されたコンテンツＩＤと、新規取得コンテンツのコンテンツＩＤとの突合せによって、新規取得コンテンツの既読の判定を行うことができる。これは、新規取得コンテンツの既読の判定にかかる負荷の軽減に大きく寄与する。この点を説明する。既に発行されたマガジンデータに使用されたコンテンツ（使用コンテンツ）と、新規取得コンテンツとが同じであるか否かは、使用コンテンツと新規取得コンテンツとを一つ一つ照合することによっても判定することができる。しかしながら、使用コンテンツと新規取得コンテンツとを一つ一つ照合することは負荷が大きく、また、時間もかかる。このため、同じコンテンツに対して同じコンテンツＩＤを付与できれば、コンテンツＩＤによって使用コンテンツと新規取得コンテンツとの一致を簡単に判定できる。但し、ここで、同じコンテンツであっても異なる時機に検索されたコンテンツのそれぞれに対して、どのようにして同じコンテンツＩＤを付与するのかが課題となる。この課題の解決手段として、上述したコンテンツの既読管理方法では、コンテンツ取得部５によって取得されたコンテンツの種類に応じたコンテンツＩＤを使用する。これにより、異なる時機にそれぞれ検索された同じコンテンツに対して、同じコンテンツＩＤを付与できるようにしている。
【００６７】
また、本実施形態によれば、以下に示す効果が得られる。
本実施形態によれば、電子マガジン作成装置１において、新規取得コンテンツの中から未読のコンテンツを選択し、該選択した未読のコンテンツのみを新規発行のマガジンデータの作成に使用する。このため、コンテンツ提供元では、電子マガジン作成装置１から受信したキーワードによる検索の結果の中から、未読のコンテンツについての結果のみを抽出しなくてよい。つまり、コンテンツ提供元では、該検索の結果をそのまま電子マガジン作成装置１へ送信すればよい。これは、コンテンツ提供元に対する制約を減らすことに寄与することから、電子マガジン作成システムを構成する際に有用となる。
【００６８】
例えば、電子マガジン作成システムとして、検索条件Ａ「直近１週間以内に作成されたコンテンツのみ」と検索条件Ｂ「未読のコンテンツのみ」の両方を満たすコンテンツを、コンテンツ提供元Ｘとコンテンツ提供元Ｙのそれぞれから取得するものを開発したいとする。ここで、コンテンツ提供元Ｘは開発元に属するため、コンテンツ提供元Ｘについて、検索条件Ａ，Ｂのそれぞれを指定するＡＰＩを新規に作成することができる。一方、コンテンツ提供元Ｙは開発元に属さないため、コンテンツ提供元Ｙについては新規にＡＰＩを作成することは難しく、例えば検索条件Ａは既存のＡＰＩを利用できるが、検索条件Ｂは該当するＡＰＩがなく、検索条件Ｂの指定ができないという不都合が生じる。このような状況下においても、本実施形態によれば、検索条件Ｂの処理については、電子マガジン作成装置１で行うので、検索条件Ａのみをコンテンツ提供元Ｘ，Ｙに要求すればよい。このように、本実施形態によれば、電子マガジン作成システムの開発における自由度が大きくなるという効果が得られる。
【００６９】
また、コンテンツ提供元Ｘに対して検索条件Ａ，ＢのＡＰＩを使用すると、検索条件Ａ，Ｂについての処理をコンテンツ提供元Ｘで行うので、コンテンツ提供元Ｘにかかる負荷が増大する。これに対して本実施形態によれば、電子マガジン作成装置１が検索条件Ａ，Ｂの処理を行うことにより、コンテンツ提供元Ｘでは検索条件Ａ，Ｂの処理を行う必要がない。このように、本実施形態により、電子マガジン作成装置１とコンテンツ提供元との間で負荷の分散を行うことができるという効果が得られる。
【００７０】
以上、本発明の実施形態について図面を参照して詳述してきたが、具体的な構成はこの実施形態に限られるものではなく、本発明の要旨を逸脱しない範囲の設計変更等も含まれる。
【００７１】
また、上述した電子マガジン作成装置１の機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００７２】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００７３】
１…電子マガジン作成装置、２…入力部、３…検索時機条件データ記憶部、４…検索実行部、５…コンテンツ取得部、６…コンテンツデータ記憶部、７…マガジン作成部、８…マガジンデータ記憶部、９…既読管理部、１０…既読管理データ記憶部、１１…出力部
【図１】
2016024550.tif 000003
【図２】
2016024550.tif 000004
【図３】
2016024550.tif 000005
【図４】
2016024550.tif 000006
【図５】
2016024550.tif 000007
【図６】
2016024550.tif 000008
【図７】
2016024550.tif 000009
【図８】
2016024550.tif 000010
【図９】
2016024550.tif 000011
【図１０】
2016024550.tif 000012